【手続補正書】
【提出日】平成18年7月25日(2006.7.25)
【手続補正１】
【補正対象書類名】特許請求の範囲
【補正対象項目名】全文
【補正方法】変更
【補正の内容】
【特許請求の範囲】
【請求項１】
画像取込みモードおよび音声取込みモードのいずれも有するデジタルカメラであって、
初期位置から、音声取込みを行う第１の位置へ、および画像取込みを行う第２の位置へ移動可能な制御部材と、
前記第１の位置に前記制御部材が移動すると、当該カメラを前記音声取込みモードに解除可能にラッチするラッチ手段と
を備えることを特徴とするデジタルカメラ。
【請求項２】
前記制御部材は、前記第１の位置および前記第２の位置に向けて第１の方向に沿って移動可能なボタンであって、フレーム内に配置されたボタンを含み、
前記ボタンおよび前記フレームは、前記第１の位置にあるときに前記ボタンを横方向に変位可能になっており、前記横方向は、前記第１の方向と略直交する方向にあり、
前記ボタンと前記フレームとは、係合することにより、前記ボタンが前記第１の位置において前記横方向に変位したときに前記ボタンを保持するようになっている領域を含むことを特徴とする請求項１に記載のデジタルカメラ。
【請求項３】
使用時に音声取込みを行わせるよう切り替え可能な第１の切り換え手段と、使用時に画像取込みを行わせるよう切り替え可能な第２の切り換え手段とをさらに備え、
前記第１の切り換え手段は、前記第１の位置への前記ボタンの移動が前記第１の切り換え手段を切り替えさせるように構成されており、
前記第２の切り換え手段は、前記第２の位置への前記ボタンの移動が前記第２の切り換え手段を切り替えさせるように構成され、前記ボタンが前記横方向に変位して前記第１の位置に保持されているか否かにかかわらず、前記ボタンの押下によって切り替え可能であることを特徴とする請求項２に記載のデジタルカメラ。
【請求項４】
前記第１の切り換え手段および前記第２の切り換え手段は、前記第１の切り換え手段を切り替えさせるのに要する力が前記第２の切り換え手段を切り替えさせるのに要する力よりも小さいことを特徴とする請求項３に記載のデジタルカメラ。
【請求項５】
前記制御部材は、前記初期位置から前記第１の位置へ回転可能であり、次に、同じ回転方向に、前記第２の位置へさらに回転可能である回転式制御部材を備えることを特徴とする請求項１に記載のデジタルカメラ。
【請求項６】
前記初期位置から前記第１の位置へ前記制御部材が移動すると音声取込みが始まり、前記制御部材が、別の所定位置へ移動するまで、あるいは所定のシーケンスに従って複数の位置間を移動するまで前記音声取込みモードを維持するように前記カメラが構成されることを特徴とする請求項１に記載のデジタルカメラ。
【請求項７】
画像取込みモードおよび音声取込みモードのいずれも有するデジタルカメラのための制御手段であって、
初期位置から、音声取込みを行う第１の位置へ、および画像取込みを行う第２の位置へ移動可能にユーザ操作可能な部材と、
前記ユーザ操作可能な部材が前記第１の位置または前記第２の位置にあることを検知する検知手段と、
前記検知手段からの入力に応答し、前記検知手段からの前記入力にしたがって前記カメラにおいて音声取込みおよび画像取込みのうち、少なくともいずれかを行うように構成された、前記検知手段に電気的に結合された処理手段と、
を備え、
前記ユーザ操作可能な部材および前記処理手段のうちの少なくともいずれかは、前記ユーザ操作可能な部材が使用時に前記第１の位置へ移動したときに前記音声取込みモードに前記カメラを維持するよう動作可能であり、それによって前記ユーザが前記ユーザ操作可能な部材を前記第１の位置に手動で保持し続ける必要がないようにすることを特徴とする制御手段。
【請求項８】
前記ユーザ操作可能な部材を前記第１の位置に保持するように構成される保持手段をさらに備えることを特徴とする請求項７に記載の制御手段。
【請求項９】
前記ユーザ操作可能な部材は、前記第１の位置および前記第２の位置へ第１の方向に移動可能なボタンであって、フレーム内に配置されたボタンを備え、
前記ボタンおよび前記フレームは、前記第１の位置にあるときに前記ボタンを横方向に変位可能になっており、前記横方向は、前記第１の方向と略直交する方向にあり、
前記ボタンと前記フレームとは、係合することにより、前記ボタンが前記第１の位置において前記横方向に変位したときに前記ボタンを保持するように構成される領域を含むことを特徴とする請求項８に記載の制御手段。
【請求項１０】
前記保持するように構成される領域は、前記ボタンから延在するとともに前記フレームの周囲と係合するリップ部を含むことを特徴とする請求項９に記載の制御手段。
【請求項１１】
前記保持するように構成される領域は、ストッパ部を含むことを特徴とする請求項９に記載の制御手段。
【請求項１２】
前記検知手段は、使用時に音声取込みを行うよう切り替え可能な第１の切り換え手段と、使用時に画像取込みを行うよう切り替え可能な第２の切り換え手段とを備え、
前記第１の切り換え手段は、前記第１の位置へ前記ボタンを移動させると前記第１の切り換え手段を切り替えさせるように構成されており、
前記第２の切り換え手段は、前記第２の位置へ前記ボタンを移動させると前記第２の切り換え手段を切り替えさせるように構成され、前記第２の切り換え手段は、前記ボタンが前記横方向に変位して前記第１の位置に保持されているか否かにかかわらず、前記ボタンの押下によって切り替え可能であることを特徴とする請求項９に記載の制御手段。
【請求項１３】
前記第１の切り換え手段および前記第２の切り換え手段は、前記第１の切り換え手段を切り替えさせるのに要する力が前記第２の切り換え手段を切り替えさせるのに要する力よりも小さくなるように構成されることを特徴とする請求項１２に記載の制御手段。
【請求項１４】
前記第１の切り換え手段および前記第２の切り換え手段は、直列に配置されることを特徴とする請求項１３に記載の制御手段。
【請求項１５】
前記第１の切り換え手段および前記第２の切り換え手段は、前記ボタンが前記横方向に変位されたときであっても、前記フレームに対する前記切り換え手段の横方向位置が一定のままであるように取り付けられることを特徴とする請求項１４に記載の制御手段。
【請求項１６】
前記ボタンが前記第１の位置に保持されていないときに、前記ボタンを前記初期位置へ押し戻す付勢手段をさらに備えることを特徴とする請求項９に記載の制御手段。
【請求項１７】
前記付勢手段は、前記ボタンに対して前記初期位置の方向に作用するばねを含むことを特徴とする請求項１６に記載の制御手段。
【請求項１８】
前記付勢手段は、前記切り換え手段と一体化されていることを特徴とする請求項１６に記載の制御手段。
【請求項１９】
使用時に前記カメラにおいてフォーカスロックを行うよう切り替え可能な第３の切り換え手段をさらに備えることを特徴とする請求項１２に記載の制御手段。
【請求項２０】
使用時に前記カメラにおいてフォーカスロックを行うよう切り替え可能な第３の切り換え手段をさらに備え、前記第３の切り換え手段は、前記第１の切り換え手段を切り替えさせるのに要する力と前記第２の切り換え手段を切り替えさせるのに要する力との間の力をかけたときに切り替わることを特徴とする請求項１３に記載の制御手段。
【請求項２１】
前記ボタンは、前記第２の位置に保持されると、前記カメラがビデオシーケンス、または複数の静止画像を高速で連続に取り込むように前記処理手段が構成されることを特徴とする請求項１２に記載の制御手段。
【請求項２２】
前記ユーザ操作可能な部材は、前記初期位置から前記第１の位置へ回転可能であり、次に、同じ回転方向に、前記第２の位置へさらに回転可能である回転式操作部材を含むことを特徴とする請求項８に記載の制御手段。
【請求項２３】
前記第１の位置で前記回転式操作部材を保持するために前記第１の位置にストッパ部をさらに備えることを特徴とする請求項２２に記載の制御手段。
【請求項２４】
前記初期位置にストッパ部をさらに備えることを特徴とする、請求項２３に記載の制御手段。
【請求項２５】
前記回転式操作部材に作用するとともに、前記第２の位置から前記第１の位置に前記回転式操作部材を戻すように構成された弾性復帰装置をさらに備えることを特徴とする、請求項２３に記載の制御手段。
【請求項２６】
前記回転式操作部材は、前記同じ回転方向に、前記第２の位置から前記初期位置へ、さらに回転可能であることを特徴とする請求項２３に記載の制御手段。
【請求項２７】
前記第２の位置にストッパ部をさらに備えることを特徴とする請求項２６に記載の制御手段。
【請求項２８】
前記第１の位置と前記第２の位置との間に第３の位置をさらに備え、
使用時に前記第３の位置へ前記回転式操作部材を回転させることにより、フォーカスロックが行われることを特徴とする請求項２２に記載の制御手段。
【請求項２９】
前記第３の位置には、前記処理手段と電気的に結合した検知手段が設けられていることを特徴とする請求項２８に記載の制御手段。
【請求項３０】
前記第３の位置には、ストッパ部がさらに設けられていることを特徴とする請求項２９に記載の制御手段。
【請求項３１】
前記第３の位置は、第１の位置を通過し、前記第２の位置には達しないが前記第２の位置の方に回転した前記回転式操作部材によって画定される仮想の位置であることを特徴とする請求項２８に記載の制御手段。
【請求項３２】
前記回転部材が前記第２の位置に保持される場合、前記カメラがビデオシーケンス、または複数の静止画像を高速で連続に取り込めるように前記処理手段が構成されていることを特徴とする請求項２２に記載の制御手段。
【請求項３３】
前記処理手段は、前記初期位置から前記第１の位置へ前記ユーザ操作可能な部材が移動されると、前記処理手段が音声取込みを行い、前記ユーザ操作可能な部材が別の所定位置に移動されるまで、あるいは所定のシーケンスに従って複数の位置間を移動させられるまで前記カメラを前記音声取込みモードに維持することを特徴とする請求項７に記載の制御手段。
【請求項３４】
前記所定位置は、前記初期位置であることを特徴とする請求項３３に記載の制御手段。
【請求項３５】
前記所定のシーケンスは、前記初期位置から前記第１の位置へ移動し、その後、前記初期位置へ戻ることを含むことを特徴とする請求項３３に記載の制御手段。
【請求項３６】
制御手段を有し、画像取込みモードおよび音声取込みモードのいずれも有するデジタルカメラであって、
前記制御手段は、
初期位置から、音声取込みを行う第１の位置へ、および画像取込みを行う第２の位置へ移動可能な、ユーザ操作可能な部材と、
前記ユーザ操作可能な部材が前記第１の位置または前記第２の位置にあることを検知する検知手段と、
前記検知手段からの入力に応答し、前記検知手段からの前記入力にしたがって前記カメラにおいて音声取込みおよび画像取込みのうち、少なくともいずれかを行うように構成された、前記検知手段に電気的に結合された処理手段と、
を備え、
前記ユーザ操作可能な部材および前記処理手段のうち、少なくともいずれかは、前記ユーザ操作可能な部材が使用時に前記第１の位置へ移動したときに前記カメラを前記音声取込みモードに維持するよう動作可能であり、それによって前記ユーザが前記ユーザ操作可能な部材を前記第１の位置に手動で保持する必要がないように構成されることを特徴とするデジタルカメラ。